(57)【要約】【解決手段】パネル支持体３に突設したピン受け３ａにパネル４に突設したピン受け４ａを載せ、両者のピン穴５、６を一直線状に配置し、これらピン穴５、６に挿脱可能に差し込むようにしたものとし、回動自在とした抜止め体７をピン本体８の下側部に形成した切欠溝９に軸支し、ピン穴５、６に差し込むときにはこの抜止め体７が回動してその係止部７ａが引っ込み、差し込んだ後はこの抜止め体７が回動して係止部７ａが出っ張るようにし、さらに切欠溝９に連通するようにして形成したネジ穴１０に、六角穴付き虫ネジ１１を切欠溝９に進退自在としてねじ込み、抜止め体７の回動を規制するようにした。【効果】六角棒レンチのような工具が無い場合には、抜止め体７の回動の規制を解除することができず、ピン穴５、６から抜くことができない。したがって、パネル支持体３からパネル４を外すことができず、部外者が立ち入り建築資材等が盗まれることがない。【選択図】　　　　図２
2004084167.tif 000002
【特許請求の範囲】
【請求項１】
パネル支持体（３）に突設したピン受け（３ａ）にパネル（４）に突設したピン受け（４ａ）を載せ、両者のピン穴（５、６）を一直線状に配置し、これらピン穴（５、６）に挿脱可能に差し込むようにしたパネル取付ピンであって、回動自在とした抜止め体（７）をピン本体（８）の下側部に形成した切欠溝（９）に軸支し、前記ピン穴（５、６）に差し込むときにはこの抜止め体（７）が回動してその係止部（７ａ）が引っ込み、差し込んだ後はこの抜止め体（７）が回動して前記係止部（７ａ）が出っ張るようにし、さらに前記切欠溝（９）に連通するようにして形成したネジ穴（１０）に、六角穴付き虫ネジ（１１）を前記切欠溝（９）に進退自在としてねじ込み、前記抜止め体（７）の回動を規制するようにしたことを特徴とするパネル取付ピン。
【請求項２】
前記抜止め体（７）を略逆直角三角形とし、この略逆直角三角形の直角部（７ｂ）において前記切欠溝（９）に軸支し、前記係止部（７ａ）を略逆直角三角形の底角部とし、前記虫ネジ（１１）をこの抜止め体（７）の底辺（７ｃ）に近接するようにしたことを特徴とする請求項１記載のパネル取付ピンのストッパー。
【発明の詳細な説明】
【０００１】
【発明の属する技術分野】
この発明は、工事現場や建築作業現場の出入口に用いられている簡易組立式の門扉等に取り付けられるパネル取付ピンに関するものである。
【０００２】
【従来の技術】
工事現場や建築作業現場等の出入口に用いられる門扉は、その工事や建築作業が終了すると不要となり、次の工事現場や建築作業現場等に運搬する必要があるため、簡易組立式のものが使われている。
【０００３】
前記門扉は、例えば図７に示すように、保持枠１に取り付けたレール２を走行可能とした多数のパネル支持体３を、このレール２に吊り下げたものとしている。前記パネル支持体３の表側には、図８に示すように、二個のピン受け３ａを並べて突設しており、これらピン受け３ａに、折り畳み可能としたパネル４の側部に突設したピン受け４ａをそれぞれ載せ、両者のピン穴５、６を一直線状に配置している。そして、これらピン穴５、６にパネル取付ピンを挿脱可能に差し込むことにより、多数のパネル支持体３にパネル４を蛇腹状に取り付け、門扉を伸縮自在なものとしている。
【０００４】
前記パネル取付ピンは、回動操作することにより出没自在とした抜止め体７を下端に取り付けており、ピン穴５、６に差し込むときにはこの抜止め体７が回動して簡単に引っ込み、差し込んだ後はこの抜止め体７が回動して出っ張り、ピン穴５、６から抜くときにはこの抜止め体７を回動させれば簡単に引っ込むようにしている。
【０００５】
したがって、前記パネル取付ピンをピン穴５、６から簡単に抜くことができるので、パネル支持体３からパネル４を簡単に外すことができる。このような構造とすることにより、門扉は分解可能なものとなる。
【０００６】
【発明が解決しようとする課題】
しかしながら、従来のパネル取付ピンは、前記ピン穴５、６から簡単に抜くことができるので、パネル支持体３からパネル４を外し、そのパネル４を外した隙間から部外者が立ち入り、建築資材等が盗まれることがあるという課題を有していた。
【０００７】
そこで、この発明は、上記従来のパネル取付ピンが有する課題を解決するためになされたものであり、門扉等のピン穴から抜き難くしたパネル取付ピンを提供することを目的としている。
【０００８】
【課題を解決するための手段】
そのため、この発明のパネル取付ピンは、パネル支持体３に突設したピン受け３ａにパネル４に突設したピン受け４ａを載せ、両者のピン穴５、６を一直線状に配置し、これらピン穴５、６に挿脱可能に差し込むようにしたものとし、回動自在とした抜止め体７をピン本体８の下側部に形成した切欠溝９に軸支し、前記ピン穴５、６に差し込むときにはこの抜止め体７が回動してその係止部７ａが引っ込み、差し込んだ後はこの抜止め体７が回動して前記係止部７ａが出っ張るようにし、さらに前記切欠溝９に連通するようにして形成したネジ穴１０に、六角穴付き虫ネジ１１を前記切欠溝９に進退自在としてねじ込み、前記抜止め体７の回動を規制するようにしたものとしている。
【０００９】
前記抜止め体７を略逆直角三角形とし、この略逆直角三角形の直角部７ｂにおいて前記切欠溝９に軸支し、前記係止部７ａを略逆直角三角形の底角部とし、前記虫ネジ１１をこの抜止め体７の底辺７ｃに近接するようにしたものとすることができる。
【００１０】
この発明のパネル取付ピンは、上記手段を施したため、ドライバーのような汎用されている工具ではなく、六角棒レンチのような汎用されていない工具を使用しないと、ネジ穴１０にねじ込んだ六角穴付き虫ネジ１１を切欠溝９に進退させることができない。したがって、この発明のパネル取付ピンは、六角棒レンチのような工具が無い場合には、前記抜止め体７の回動の規制を解除することができず、ピン穴５、６から抜くことができない。
【００１１】
【発明の実施の形態】
以下、この発明のパネル取付ピンの構成を、一実施形態として示した図面に基づいて詳細に説明する。
【００１２】
この発明のパネル取付ピンが取り付けられる門扉は、例えば従来と同様、図７に示すように、保持枠１に取り付けたレール２を走行可能とした多数のパネル支持体３を、このレール２に吊り下げたものとしている。前記パネル支持体３の表側には、図１、２に示すように、二個のピン受け３ａを並べて突設しており、これらピン受け３ａに、折り畳み可能としたパネル４の側部に突設したピン受け４ａを載せ、両者のピン穴５、６を一直線状に配置している。そして、これらピン穴５、６にこの発明のパネル取付ピンを挿脱可能に差し込むことにより、多数のパネル支持体３にパネル４を蛇腹状に取り付け、門扉を伸縮自在なものとしている。
【００１３】
このような門扉に取り付けられるこの発明のパネル取付ピンは、図３〜６に示すように、回動自在とした抜止め体７をピン本体８の下側部に形成した切欠溝９に軸支しており、前記ピン穴５、６に差し込むときにはこの抜止め体７が回動して抜止め体７の係止部７ａが引っ込み、差し込んだ後はこの抜止め体７が回動して前記係止部７ａが出っ張るようにしている。さらに、ピン本体８の下側部には、前記切欠溝９に連通するようにしてネジ穴１０を形成し、このネジ穴１０に六角穴付き虫ネジ１１を前記切欠溝９に進退自在としてねじ込み、前記抜止め体７の回動を規制するようにしたものとしている。前記虫ネジ１１の六角穴１１ａは、この虫ネジ１１の両端に設けても、この虫ネジ１１を進退自在としてねじ込む側の一端にのみ設けてもよい。なお、この虫ネジ１１の進退自在としてねじ込むには、六角棒レンチのような工具を使用して行われるが、図３に示したように、切欠溝９内部から、または図４に示したように、切欠溝９外部のピン本体８の側面からの何れからでも行うことができる。
【００１４】
図に示した前記抜止め体７は、略逆直角三角形とし、この略逆直角三角形の直角部７ｂにおいて抜止め体７を前記切欠溝９に軸支し、前記係止部７ａを略逆直角三角形の底角部とし、前記虫ネジ１１をこの抜止め体７の底辺７ｃに近接するようにしたものとしている。
【００１５】
以上のように構成したこの発明のパネル取付ピンを門扉に取り付けるには、先ず、六角棒レンチのような工具を使用して、ピン本体８のネジ穴１０にねじ込んだ六角穴付き虫ネジ１１を緩めて、この六角穴付き虫ネジ１１を切欠溝９から退かせた状態にする。この状態では、抜止め体７の回動が規制されないので、抜止め体７を回動させてその係止部７ａを引っ込ませば、図５に示したようになり、一直線状に配置したピン穴５、６にピン本体８を差し込むことができる。
【００１６】
前記ピン穴５、６にピン本体８を差し込んだ後、抜止め体７を回動させてその係止部７ａを出っ張らせ、図６に示したように、前記六角穴付き虫ネジ１１を締めて、この六角穴付き虫ネジ１１を切欠溝９に進ませた状態にする。この状態では、抜止め体７の回動が規制されるので、抜止め体７を回動させることができずその係止部７ａが出っ張ったままとなり、前記ピン穴５、６からピン本体８を抜くことができなくなる。
【００１７】
なお、この発明のパネル取付ピンのピン本体８をピン穴５、６から抜くには、前記したように六角棒レンチのような工具を使用して、ネジ穴１０にねじ込んだ六角穴付き虫ネジ１１を緩めて、この六角穴付き虫ネジ１１を切欠溝９から退いた状態にすればよい。この状態では、抜止め体７を回動させてその係止部７ａを引っ込ませることができ、前記ピン本体８をピン穴５、６から抜くことができ、パネル支持体３からパネル４を簡単に外すことができる。
【００１８】
【発明の効果】
この発明のパネル取付ピンは、以上のように構成されているので、六角棒レンチのような工具が無い場合には、前記抜止め体７の回動の規制を解除することができず、ピン穴５、６から抜くことができない。したがって、パネル支持体３からパネル４を外すことができず、部外者が立ち入り建築資材等が盗まれるというようなことがない。
【図面の簡単な説明】
【図１】この発明のパネル取付ピンの門扉等への取付状態を示す斜視図である。
【図２】この発明のパネル取付ピンの門扉等への取付状態を示す分解斜視図である。
【図３】この発明のパネル取付ピンの斜視図である。
【図４】この発明のパネル取付ピンの斜視図である。
【図５】この発明のパネル取付ピンのピン本体下部の断面図である。
【図６】この発明のパネル取付ピンのピン本体下部の断面図である。
【図７】パネル取付ピンを取り付けた門扉の説明図である。
【図８】従来のパネル取付ピンの門扉等への取付状態を示す斜視図である。
【符号の説明】
３　パネル支持体
３ａ　ピン受け
４　パネル
４ａ　ピン受け
５　ピン穴
６　ピン穴
７　抜止め体
７ａ　係止部
７ｂ　直角部
７ｃ　底辺
８　ピン本体
９　切欠溝
１０　ネジ穴
１１　六角穴付き虫ネジ
【図１】
2004084167.tif 000003
【図２】
2004084167.tif 000004
【図３】
2004084167.tif 000005
【図４】
2004084167.tif 000006
【図５】
2004084167.tif 000007
【図６】
2004084167.tif 000008
【図７】
2004084167.tif 000009
【図８】
2004084167.tif 000010